(57)【特許請求の範囲】
【請求項１】
投票券販売会場を含む会場内に設置されたランキング装置であって、
前記会場内に設置され来場者が現金で投票券を購入する現金投票端末で購入された、公営競技に対する前記投票券に関する情報を示す投票データを、前記現金投票端末から受信する投票データ受信部と、
前記公営競技の競技結果に対する払戻金の情報を示す払戻金データを受信する払戻金データ受信部と、
前記受信された投票データおよび払戻金データに基づいて、前記投票券の来場した購入者毎の前記競技結果を算出し集計する集計部と、
前記集計部での集計結果に基づいて前記来場した購入者毎のランキングを示すランキングデータを算出するランキングデータ算出部と、
前記会場内に設置された表示装置に表示させる前記ランキングデータを、前記会場内に設置された画像編集装置に出力するランキングデータ出力部と、
を備えることを特徴とするランキング装置。
【請求項２】
前記投票データ受信部は、前記現金投票端末での前記投票券の販売状況を管理するポイントサーバから、前記投票データを受信する、
ことを特徴とする請求項１に記載のランキング装置。
【請求項３】
前記来場した購入者毎のランキング毎に付与されるポイントを登録したポイント付与設定データを記憶するポイント付与設定データ記憶部と、
前記ランキングデータが示す前記来場した購入者毎のランキングと、前記ポイント付与設定データとに基づいて、前記来場した購入者に付与するポイントを示すポイント付与データを算出するポイント付与データ算出部と、
前記ポイント付与データを前記ポイントサーバに送信するポイント付与データ出力部と、
をさらに備え、
前記ポイントサーバは、前記ポイント付与データ出力部から受信した前記ポイント付与データに基づいて、前記来場した購入者毎のポイントを管理する、
ことを特徴とする請求項２に記載のランキング装置。
【請求項４】
前記払戻金データ受信部は、前記公営競技の競技結果と前記投票データの販売状況に基づいて前記払戻金データを生成するホスト装置から、前記払戻金データを受信する、
ことを特徴とする請求項１ないし３のいずれかに記載のランキング装置。
【請求項５】
前記ランキングデータ出力部は、前記表示装置に表示される前記競技結果の画像データを生成する前記画像編集装置に、前記ランキングデータを送信し、
前記画像編集装置は、前記ランキングデータに基づいて、前記来場した購入者毎のランキングを前記表示装置に表示する画像データを生成する、
ことを特徴とする請求項１ないし４のいずれかに記載のランキング装置。
【請求項６】
前記来場した購入者毎のランキングは的中率および払戻金からなることを特徴とする請求項１ないし５のいずれかに記載のランキング装置。
【請求項７】
投票券販売会場を含む会場内に設置されたランキング装置と現金投票端末と画像編集装置と表示装置とを備えるランキングシステムにおいて、
前記ランキング装置は、
前記会場内に設置され来場者が現金で投票券を購入する現金投票端末で購入された、公営競技に対する前記投票券に関する情報を示す投票データを、前記現金投票端末から受信する投票データ受信手段と、
前記公営競技の競技結果に対する払戻金の情報を示す払戻金データを受信する払戻金データ受信手段と、
前記受信された投票データおよび払戻金データに基づいて、前記投票券の来場した購入者毎の前記競技結果を算出し集計する集計手段と、
前記集計手段での集計結果に基づいて前記来場した購入者毎のランキングを示すランキングデータを算出するランキングデータ算出手段と、
前記会場内に設置された表示装置に表示させる前記ランキングデータを、前記会場内に設置された画像編集装置に出力するランキングデータ出力手段と、
を備えることを特徴とするランキングシステム。
【請求項８】
投票券販売会場を含む会場内に設置されたランキング装置のコンピュータに、
前記会場内に設置され来場者が現金で投票券を購入する現金投票端末で購入された、公営競技に対する前記投票券に関する情報を示す投票データを、前記現金投票端末から受信する投票データ受信ステップと、
前記公営競技の競技結果に対する払戻金の情報を示す払戻金データを受信する払戻金データ受信ステップと、
前記受信された投票データおよび払戻金データに基づいて、前記投票券の来場した購入者毎の前記競技結果を算出し集計する集計ステップと、
前記集計ステップでの集計結果に基づいて前記来場した購入者毎のランキングを示すランキングデータを算出するランキングデータ算出ステップと、
前記会場内に設置された表示装置に表示させる前記ランキングデータを、前記会場内に設置された画像編集装置に出力するランキングデータ出力ステップと、
を実行させるためのプログラム。
【発明の詳細な説明】
【技術分野】
【０００１】
本発明は、トータリゼータ技術に関する。
【背景技術】
【０００２】
従来、公営競技における競技結果の予想的中率をインターネットを介して公開する技術が知られている（例えば特許文献１に記載の技術）。
【０００３】
また、場内の出球のランキングを場内モニタに表示する技術が知られている（例えば特許文献２または３に記載の技術）。
【先行技術文献】
【特許文献】
【０００４】
【特許文献１】特開２００１−２６５７５２号公報
【特許文献２】特開２００６−１４８６９５号公報
【特許文献３】特開２００８−７９８４８号公報
【発明の概要】
【発明が解決しようとする課題】
【０００５】
ここで例えば、投票券販売会場等においても、公営競技における競技結果について、投票券の購入者の的中率等のランキングを知ることができれば、来場者により興奮と感動を与えることができ、来場者数のアップにも貢献できると考えられる。
【０００６】
しかし、前述したインターネットによる予想的中率の公開技術は、特定の会場における来場者の投票行動に連動したものではなく、会場特有のサービス性のアップに貢献できるものではないという問題点を有していた。
【０００７】
また、インターネット上でのランキングシステムでは、インターネット投票用の口座開設を開くことが条件となる場合が多く、誰でも気軽に参加することが難しかった。
【０００８】
また、場内の出球のランキングを場内モニタに表示する技術は、場内のゲーム競技毎の出球数のランキングを単純に集計しているだけであり、公営競技のように、投票券の販売状況と競技結果に基づいて払戻金が決まるような複雑なシステムにおいて、精度の高いランキングを算出する目的には、適用することは困難であるという問題点を有していた。
【０００９】
本発明は、公営競技の投票券販売会場等において、会場内での投票券の販売状況や競技結果に対する払戻金の状況等にリアルタイムかつ正確に連動したランキングの算出と公開を可能にすることを目的とする。
【課題を解決するための手段】
【００１０】
態様の一例では、投票券販売会場を含む会場内に設置されたランキング装置であって、前記会場内に設置され来場者が現金で投票券を購入する現金投票端末で購入された、公営競技に対する前記投票券に関する情報を示す投票データを、前記現金投票端末から受信する投票データ受信部と、公営競技の競技結果に対する払戻金の情報を示す払戻金データを受信する払戻金データ受信部と、受信された投票データおよび払戻金データに基づいて、投票券の来場した購入者毎の競技結果を算出し集計する集計部と、集計部での集計結果に基づいて来場した購入者毎のランキングを示すランキングデータを算出するランキングデータ算出部と、前記会場内に設置された表示装置に表示させる前記ランキングデータを、前記会場内に設置された画像編集装置に出力するランキングデータ出力部と、を備える。
【発明の効果】
【００１１】
本発明によれば、公営競技の投票券販売会場等において、会場内での投票券の販売状況や競技結果に対する払戻金の状況等にリアルタイムかつ正確に連動したランキングの算出と公開を行うことが可能となる。
【図面の簡単な説明】
【００１２】
【図１】本発明によるトータリゼータシステムの実施形態の全体構成図である。
【図２】本実施形態におけるランキング装置のブロック図である。
【図３】本実施形態におけるランキング生成処理の例を示すフローチャートである。
【図４】投票データのデータ構成例を示す図である。
【図５】払戻金データのデータ構成例を示す図である。
【図６】集計データのデータ構成例を示す図である。
【図７】ランキングデータのデータ構成例を示す図である。
【図８】ポイント付与設定データのデータ構成例を示す図である。
【図９】ポイント付与データのデータ構成例を示す図である。
【図１０】ランキングの表示例を示す図である。
【図１１】ランキング装置のハードウェア構成例を示す図である。
【発明を実施するための形態】
【００１３】
以下、本発明を実施するための形態について図面を参照しながら詳細に説明する。
図１は、本発明によるトータリゼータシステムの実施形態の全体構成図である。
【００１４】
現金投票端末１０５は、例えば場外馬券売場等の投票券販売会場（以下単に「会場」と記載する）内に設置され、来場者が現金を支払って投票券を購入する端末装置である。
【００１５】
現金投票端末１０５で購入された投票券の内容を示す投票データは、例えば会場内に設置されているポイントサーバ１０２と、外部のデータセンタ等に設置されているホスト装置１０３に送信される。
【００１６】
会場内のポイントサーバ１０２は、例えばサーバコンピュータ装置であり、来場者が現金投票端末１０５で読み込ませた会員カードの情報に基づいて、投票券の購入金額に応じたポインタを、ポイントサーバ１０２が保持する例えば会員データベースに記憶される会員レコード内のポイント項目に加算する。
【００１７】
外部のホスト装置１０３は、公営競技の全体の運営を管理する例えばサーバコンピュータ装置であり、会場内の現金投票端末１０５から送られてきた投票データと、公営競技の競技結果に基づいて、各競技毎の払戻金等を算出する。
【００１８】
画像編集装置１０４は、例えば会場内に設置され、ホスト装置１０３から公営競技のオッズデータや払戻金データを受信して、競技予定、競技結果、オッズ、払戻金等の情報を表示するための画像を生成し、例えば会場内に設置される表示装置である場内モニタ１０６に表示させる。
【００１９】
ランキング装置１０１は、ポイントサーバ１０２から投票データを受信し、ホスト装置１０３から払戻金データを受信し、来場した投票券購入者の的中率および払戻金のランキングを示すランキングデータと、獲得ポイントを示すポイント付与データを算出する。この結果、画像編集装置１０４は、競技毎、一日単位、週単位、累計単位等での投票券購入者のランキングを場内モニタ１０６に表示する。
【００２０】
図２は、本実施形態における図１のランキング装置１０１のブロック図である。
ポイントサーバ通信部２０３は、会場内の例えばＬＡＮ（ローカルエリアネットワーク）を介して、図１に示される会場内のポイントサーバ１０２と通信を行う、ネットワークインタフェース装置である。このポイントサーバ通信部２０３は、ポイントサーバ１０２から、会場内の現金投票端末１０５で購入された公営競技に対する投票券に関する情報を示す投票データを受信する投票データ受信部として動作する。
【００２１】
ホスト通信部２０４は、専用デジタル回線またはインターネット回線等を介して、図１に示される外部のホスト装置１０３と通信を行う、ネットワークインタフェース装置である。このホスト通信部２０４は、ホスト装置１０３から、公営競技の競技結果に対する払戻金の情報を示す払戻金データを受信する払戻金データ受信部として動作する。
【００２２】
画像編集装置通信部２０５は、会場内の例えばＬＡＮを介して、図１に示される会場内の画像編集装置１０４と通信を行う、ネットワークインタフェース装置である。
【００２３】
データ部２０２は、例えばハードディスク記憶装置であり、保持データとして、的中率および払戻金のランキング毎に付与されるポイントを登録したポイント付与設定データを記憶する。この場合、データ部２０２は、ポイント付与設定データ記憶部として機能する。また、データ部２０２は、入力データとして、ポイントサーバ通信部２０３が受信した投票データと、ホスト通信部２０４が受信した払戻金データを記憶する。さらに、データ部２０２は、出力データとして、ランキングデータ、ポイント付与データ、集計データを記憶する。
【００２４】
演算部２０１は、例えばＣＰＵ（中央演算プロセッサ）と制御プログラムを記憶したＲＯＭ（リードオンリーメモリ）またはＲＡＭ（ランダムアクセスメモリ）である。この演算部２０１は、ポイントサーバ通信部２０３およびホスト通信部２０４からデータ部２０２に受信された投票データおよび払戻金データに基づいて、ランキング装置１０１が設置される会場内における、投票券の購入者毎の競技結果の的中率および払戻金を算出し集計する集計部として動作する。この結果集計されるデータは、例えば購入者毎の的中率、払戻金（総額）等のである。
【００２５】
また、演算部２０１は、上述の集計結果に基づいて購入者毎のランキングを示すランキングデータを算出するランキングデータ算出部として動作する。このランキングデータは例えば、的中率および払戻金からなり、データ部２０２に記憶される。
【００２６】
さらに、演算部２０１は、画像編集装置通信部２０５と共に、図１の画像編集装置１０４に、データ部２０２内のランキングデータを出力するランキングデータ出力部として動作する。
【００２７】
図１の画像編集装置１０４は、このランキングデータに基づいて、購入者毎の的中率および払戻金のランキングを、表示装置である場内モニタ１０６に表示するための画像データを生成する。
【００２８】
ここで、データ部２０２に記憶されるポイント付与設定データは、的中率および払戻金のランキング毎に付与されるポイントを登録したデータである。演算部２０１は、算出したランキングデータが示す的中率および払戻金のランキングと、ポイント付与設定データとに基づいて、購入者に付与するポイントを示すポイント付与データを算出し、データ部２０２に記憶するポイント付与データ算出部として動作する。
【００２９】
さらに、演算部２０１は、ポイントサーバ通信部２０３と共に、図１のポイントサーバ１０２に、データ部２０２内のポイント付与データを出力するポイント付与データ出力部として動作する。
【００３０】
図１のポイントサーバは、上述のポイント付与データに基づいて、購入者毎のポイントを管理する。
【００３１】
図３は、本実施形態において、図２の演算部２０１が実行するランキング生成処理の例を示すフローチャートである。この処理は、演算部２０１が特には図示しないメモリに記憶されたランキング生成処理プログラムを実行する処理として実現される。以下の説明において、演算部２０１、データ部２０２、ポイントサーバ通信部２０３、ホスト通信部２０４、および画像編集装置通信部２０５は、図２の各部分を指すものとする。
【００３２】
まず、演算部２０１は、ポート１４５通信部２０３が図１のポイントサーバ１０２から投票データを受信するのを待つ（図３のステップＳ３０１の繰返し処理）。
【００３３】
ステップＳ３０１の判定がＹＥＳとなると、演算部２０１は、ホスト通信部２０４が図１のホスト装置１０３から払戻金データを受信するのを待つ（図３のステップＳ３０２の繰返し処理）。
【００３４】
ステップＳ３０２の判定がＹＥＳになると、演算部２０１は、投票データと払戻金データを集計して、投票券購入者である個人の的中率、払戻金等の集計データを算出し、データ部２０２に記憶する（図３のステップＳ３０３）。
【００３５】
図４は、投票データのデータ構成例（競馬の場合）を示す図である。投票券の購入者毎に、「会員番号」、「氏名」、「ニックネーム」等の個人情報のほかに、購入した投票券に関する「レース番号」「種別」「買い目」「金額」（購入金額）等の情報が保持される。
【００３６】
図５は、払戻金データのデータ構成例（競馬の場合）を示す図である。レース（競技）毎に、「レース番号」「種別」「着順」「払戻金」等の情報が保持される。
【００３７】
図６は、演算部２０１が図３のステップＳ３０３で算出する集計データのデータ構成例を示す図である。個人（投票券購入者）毎に、「会員番号」「氏名」「ニックネーム」「的中率」「払戻金（総額）」等が保持される。「会員番号」「氏名」「ニックネーム」は、図４に例示される投票データを参照して設定される。「的中率」「払戻金（総額）」は、図４に例示される投票データ内容と図５に例示される払戻金データの内容から算出することができる。
【００３８】
図３のステップＳ３０３の集計処理の後、演算部２０１は、ランキングデータ算出の処理を実行する（図３のステップＳ３０４）。ここでは、ステップＳ３０３でデータ部２０２に得られた各個人の集計データを、的中率順および払戻金（総額）順で並び替え、図６に例示される集計データに、「的中率順位」と「払戻金（総額）順位」の項目を加えて、図７に例示されるデータ構成を有するランキングデータを生成し、データ部２０２に記憶する。
【００３９】
演算部２０１は、生成したランキングデータを、図１の画像編集装置１０４に送信する（図３のステップＳ３０５）。この結果、画像編集装置１０４は、例えば図８に示されるようなランキング表示データを作成し、場内モニタ１０６に表示させる。
【００４０】
次に、演算部２０１は、ポイント付与データ算出の処理を実行する（図３のステップＳ３０６）。いま、データ部２０２には、例えば図９に示されるデータ構成例を有するポイント付与設定データが記憶されている。このデータは、「的中率」および「払戻金」の各項目毎に、「順位」と「ポイント」を記憶する。演算部２０１は、図３のステップＳ３０４で生成した図７に例示されるランキングデータ中の「的中率順位」と「払戻金（総額）順位」の各項目値によって、図９に例示されるポイント付与設定データを参照し、「的中率」および「払戻金」毎のポイントを取得し、２つのポイントを加算する。この結果、演算部２０１は、図１０に例示されるデータ構成を有するポイント付与データを生成する。「会員番号」「氏名」「ニックネーム」の各項目は図４に例示される投票データから取得でき、「ポイント付与」の項目には、上述の２つのポイントの加算結果が記憶される。
【００４１】
演算部２０１は、図３のステップＳ３０６で算出したポイント付与データを、図１のポイントサーバ１０２に送信する（図３のステップＳ３０７）。ポイントサーバ１０２は、このポイント付与データ内の「会員番号」項目の値に対応する会員データ中の会員レコードのポイント項目に、ポイント付与データ内の「ポイント付与」項目中のポイント値を累算する。
【００４２】
その後、演算部２０１は、図３のステップＳ３０１の待機処理に戻る。
以上のようにして、本実施形態では、会場への来場者の投票行動と競技結果に基づく払戻金に正確に連動して、会場でのランキングを算出することが可能となる。また、ポイントサーバ１０２という既存のポイントシステム（ポイント会員）を流用することにより、発売場毎に、払戻金（総額）、的中率をランキングし、場内モニタ１０６で表示することや、ランキングに応じたポイント付与等のサービスを実施することが可能となる。これにより、公営競技の楽しみ（発売場、発売地域内での的中率ナンバーワン、的中金額ナンバーワンを目指す（競争心を高める）。ポイントによるサービスを受けること）が増え、購買意欲促進、ファンサービスを向上させることが可能となる。さらに、口座開設を必要とせず、簡単な会員登録だけで、ランキングサービスを利用することが可能となる。
【００４３】
図１１は、図２のランキング装置１０１のハードウェア構成例を示す図である。
図１１に示されるコンピュータは、ＣＰＵ１１０１、メモリ１１０２、入力装置１１０３、出力装置１１０４、外部記憶装置１１０５、可搬記録媒体１１０９が挿入される可搬記録媒体駆動装置１１０６、及び通信インタフェース１１０７を有し、これらがバス１１０８によって相互に接続された構成を有する。同図に示される構成は上記システムを実現できるコンピュータの一例であり、そのようなコンピュータはこの構成に限定されるものではない。
【００４４】
ＣＰＵ１１０１は、当該コンピュータ全体の制御を行う。メモリ１１０２は、プログラムの実行、データ更新等の際に、外部記憶装置１１０５（或いは可搬記録媒体１１０９）に記憶されているプログラム又はデータを一時的に格納するＲＡＭ等のメモリである。ＣＵＰ１１０１は、プログラムをメモリ１１０２に読み出して実行することにより、全体の制御を行う。
【００４５】
入力装置１１０３は、ユーザによるキーボードやマウス等による入力操作を検出し、その検出結果をＣＰＵ１１０１に通知する。
【００４６】
出力装置１１０４は、ＣＰＵ１１０１の制御によって送られてくるデータを表示装置や印刷装置に出力する。
【００４７】
外部記憶装置１１０５は、例えばハードディスク記憶装置である。主に各種データやプログラムの保存に用いられる。
【００４８】
可搬記録媒体駆動装置１１０６は、光ディスクやＳＤＲＡＭ、コンパクトフラッシュ（登録商標）等の可搬記録媒体１１０９を収容するもので、外部記憶装置１１０５の補助の役割を有する。
【００４９】
通信インタフェース１１０７は、例えばＬＡＮ（ローカルエリアネットワーク）又はＷＡＮ（ワイドエリアネットワーク）の通信回線を接続するための装置であり、図１のポイントサーバ通信部２０３、ホスト通信部２０４、画像編集装置通信部２０５を実現する。
【００５０】
本実施形態によるシステムは、図３のフローチャート等で実現される機能を搭載したプログラムをＣＰＵ１１０１が実行することで実現される。そのプログラムは、例えば外部記憶装置１１０５や可搬記録媒体１１０９に記録して配布してもよく、或いはネットワーク接続装置１１０７によりネットワークから取得できるようにしてもよい。
【００５１】
以上の実施形態においては、１日の集計に基づいてランキングを算出しているが、集計データやランキングデータをレース、週、月単位に変更することで、レース、週間、月間等のランキングも可能となる。
【符号の説明】
【００５２】
１０１  ランキング装置
１０２  ポイントサーバ
１０３  ホスト装置
１０４  画像編集装置
１０５  現金投票端末
１０６  場内モニタ
２０１  演算部
２０２  データ部
２０３  ポイントサーバ通信部
２０４  ホスト通信部
２０５  画像編集装置通信部
【図１】
0006046584.tif 000002
【図２】
0006046584.tif 000003
【図３】
0006046584.tif 000004
【図４】
0006046584.tif 000005
【図５】
0006046584.tif 000006
【図６】
0006046584.tif 000007
【図７】
0006046584.tif 000008
【図８】
0006046584.tif 000009
【図９】
0006046584.tif 000010
【図１０】
0006046584.tif 000011
【図１１】
0006046584.tif 000012